(57)【要約】【課題】ネットワーク複合装置でスキャンしたカラー画像データを情報処理装置を経由してカラー印刷装置で印刷する際に、印刷結果をネットワーク複合装置で認識することができるシステムを提供する。【解決手段】ファクシミリ複合装置１０は、カラー画像を読み取ってカラー画像データを出力するスキャナ１４を備え、スキャナ１４から出力されたカラー画像データを情報処理装置１の記憶部６（共有フォルダ）に書き込む。情報処理装置１は、ネットワーク複合装置からのカラー画像データが書き込まれたことを認識すると、カラー印刷装置３１を制御して書き込まれたカラー画像データを印刷させると共に、カラー印刷装置３１の動作状態を監視し、取得した動作状態をファクシミリ複合装置１０に送信する。【選択図】図１
2008165357.tif 000002
【特許請求の範囲】
【請求項１】
カラー画像の読取りが可能なスキャナ機能と白黒印刷機能とを備えるネットワーク複合装置がネットワークを介して接続されると共に、カラー印刷装置が接続される情報処理装置において、
前記ネットワーク複合装置によってカラー画像データが書き込まれる画像データ記憶手段と、
前記カラー印刷装置を制御して前記画像データ記憶手段に書き込まれたカラー画像データを印刷させる印刷制御手段と、
前記画像データ記憶手段を監視し、カラー画像データが書き込まれると前記印刷制御手段を動作させると共に、前記カラー印刷装置の動作状態を監視し、取得した動作状態を前記ネットワーク装置に送信する印刷監視手段とを備えることを特徴とする情報処理装置。
【請求項２】
請求項１に記載の情報処理装置において、
前記印刷監視手段は、カラー画像の印刷処理が終了すると、取得された動作状態に基づいて、印刷処理に関する印刷ログを作成して記憶することを特徴とする情報処理装置。
【請求項３】
請求項２に記載の情報処理装置において、
前記印刷監視手段は、前記ネットワーク複合装置から送信されるユーザ情報に基づいて、印刷ログをユーザごとに管理することを特徴とする情報処理装置。
【請求項４】
請求項１ないし請求項３のいずれかに記載の情報処理装置において、
前記印刷監視手段は、前記カラー画像データ中に含まれる文字データを画像認識処理によりテキスト情報として抽出し、その抽出したテキスト情報を印刷ログに含めることを特徴とする情報処理装置。
【請求項５】
請求項１ないし請求項４のいずれかに記載の情報処理装置において、
カラー画像データの印刷を指示したユーザに割り当てられたユーザ端末装置がネットワークを介して接続され、
前記印刷監視手段は、動作状態として印刷結果を前記ユーザ端末装置に通知することを特徴とする情報処理装置。
【請求項６】
カラー画像の読取りが可能なスキャナ機能と白黒印刷機能とを備えるネットワーク複合装置がネットワークを介して接続されると共にカラー印刷装置が接続され、前記ネットワーク複合装置によって画像データが書き込まれる画像データ記憶手段が設けられたコンピュータに読み込まれるプログラムであって、
当該プログラムが読み込まれた前記コンピュータに、
前記画像データ記憶手段を監視し、カラー画像データが書き込まれると、前記カラー印刷装置を制御して前記画像データ記憶手段に書き込まれたカラー画像データを印刷させると共に、前記カラー印刷装置の動作状態を監視し、取得した動作状態を前記ネットワーク装置に送信するよう動作させるプログラム。
【請求項７】
画像データ記憶手段に書き込まれたカラー画像データをカラー印刷装置を制御して印刷させる情報処理装置がネットワークを介して接続され、カラー画像の読み取りが可能なスキャナ機能と白黒印刷機能とを備えるネットワーク複合装置において、
前記スキャナ機能によって得られたカラー画像データを前記画像データ記憶手段に書き込むと共に、前記情報処理装置から送信される前記カラー印刷装置の動作状態を受信して所定の表示部に表示する印刷管理手段を備えることを特徴とするネットワーク複合装置。
【請求項８】
請求項７に記載のネットワーク複合装置において、
カラー画像の印刷を指示したユーザに割り当てられたユーザ端末装置がネットワークを介して接続され、
前記印刷管理手段は、動作状態として印刷結果を前記ユーザ端末装置に送信することを特徴とするネットワーク複合装置。
【請求項９】
カラー画像の読み取りが可能なスキャナ機能と白黒印刷機能とを備えるネットワーク複合装置と、カラー印刷装置が接続される情報処理装置とが、ネットワークを介して接続された情報処理システムにおいて、
前記情報処理装置は、前記ネットワーク複合装置によってカラー画像データが書き込まれる画像データ記憶手段と、前記カラー印刷装置を制御して前記画像データ記憶手段に書き込まれたカラー画像データを印刷させる印刷制御手段と、前記画像データ記憶手段を監視し、カラー画像データが書き込まれると前記印刷制御手段を動作させると共に、前記カラー印刷装置の動作状態を監視し、取得した動作状態を前記ネットワーク装置に送信する印刷監視手段とを備え、
前記ネットワーク複合装置は、前記スキャナ機能によって得られたカラー画像データを前記画像データ記憶手段に書き込むと共に、前記情報処理装置から送信される動作状態を受信して所定の表示部に表示する印刷管理手段とを備えることを特徴とする情報処理システム。
【発明の詳細な説明】
【技術分野】
【０００１】
本発明は、カラー画像の読取りが可能であるけれども白黒印刷のみ実行可能なネットワーク複合装置とカラー印刷装置を制御する情報処理装置とがネットワークを介して接続された情報処理システムに関し、さらに、この情報処理システムを構成するネットワーク複合装置及び情報処理装置に関する。
【背景技術】
【０００２】
ネットワーク複合装置は、コピー機能、スキャン機能、プリント機能等の複数の機能を実行可能な装置であるが、カラースキャンは可能であるが、カラー印刷はできない機種がある。このようなカラー印刷不可のネットワーク複合装置では、カラーコピーは実行できない。
【０００３】
そこで、カラー印刷不可のネットワーク複合装置と、カラー印刷装置を制御する情報処理装置とをネットワークを介して接続し、ネットワーク複合装置でスキャンしたカラー画像をカラー印刷装置で印刷させるＳＴＰ（ScanToPrint）機能を実行可能な情報処理システムが開発されている。ＳＴＰ機能では、ネットワーク複合装置でスキャンしたカラー画像データを、情報処理装置の所定の記憶領域（共有フォルダ）に書き込むと、情報処理装置では共有フォルダにカラー画像データが書き込まれたことが検出され、印刷制御部（プリンタドライバ）が起動されて、カラー印刷装置によるカラー画像データの印刷が行われる。
【０００４】
しかしながら、従来のＳＴＰ機能では、ネットワーク複合装置において、カラー印刷装による印刷が完了したかどうかを知ることはできないという不都合がある。なお、周辺装置のモニタリング技術としては、例えば特許文献１に記載のものがある。
【特許文献１】特開平１０−７４１３２号公報
【発明の開示】
【発明が解決しようとする課題】
【０００５】
本発明の解決すべき課題は、ネットワーク複合装置でスキャンしたカラー画像データを情報処理装置を経由してカラー印刷装置で印刷する際に、印刷結果をネットワーク複合装置で認識することができる情報処理システム並びにこの情報処理システムを構成するネットワーク複合装置及び情報処理装置を提供することである。
【課題を解決するための手段】
【０００６】
上記の課題を解決するため、請求項１の発明では、カラー画像の読取りが可能なスキャナ機能と白黒印刷機能とを備えるネットワーク複合装置がネットワークを介して接続されると共に、カラー印刷装置が接続される情報処理装置において、前記ネットワーク複合装置によってカラー画像データが書き込まれる画像データ記憶手段と、前記カラー印刷装置を制御して前記画像データ記憶手段に書き込まれたカラー画像データを印刷させる印刷制御手段と、前記画像データ記憶手段を監視し、カラー画像データが書き込まれると前記印刷制御手段を動作させると共に、前記カラー印刷装置の動作状態を監視し、取得した動作状態を前記ネットワーク装置に送信する印刷監視手段とを備える。
【０００７】
また、請求項２の発明では、請求項１の発明に係る情報処理装置において、前記印刷監視手段は、カラー画像の印刷処理が終了すると、取得された動作状態に基づいて、印刷処理に関する印刷ログを作成して記憶する。
【０００８】
また、請求項３の発明では、請求項２の発明に係る情報処理装置において、前記印刷監視手段は、前記ネットワーク複合装置から送信されるユーザ情報に基づいて、印刷ログをユーザごとに管理する。
【０００９】
また、請求項４の発明では、請求項１ないし請求項３のいずれかの発明に係る情報処理装置において、前記印刷監視手段は、前記カラー画像データ中に含まれる文字データを画像認識処理によりテキスト情報として抽出し、その抽出したテキスト情報を印刷ログに含める。
【００１０】
また、請求項５の発明では、請求項１ないし請求項４のいずれかの発明に係る情報処理装置において、カラー画像データの印刷を指示したユーザに割り当てられたユーザ端末装置がネットワークを介して接続され、前記印刷監視手段は、動作状態として印刷結果を前記ユーザ端末装置に通知する。
【００１１】
また、請求項６の発明では、カラー画像の読取りが可能なスキャナ機能と白黒印刷機能とを備えるネットワーク複合装置がネットワークを介して接続されると共にカラー印刷装置が接続され、前記ネットワーク複合装置によって画像データが書き込まれる画像データ記憶手段が設けられたコンピュータに読み込まれるプログラムであって、当該プログラムが読み込まれた前記コンピュータに、前記画像データ記憶手段を監視し、カラー画像データが書き込まれると、前記カラー印刷装置を制御して前記画像データ記憶手段に書き込まれたカラー画像データを印刷させると共に、前記カラー印刷装置の動作状態を監視し、取得した動作状態を前記ネットワーク装置に送信するよう動作させる。
【００１２】
また、請求項７の発明では、画像データ記憶手段に書き込まれたカラー画像データをカラー印刷装置を制御して印刷させる情報処理装置がネットワークを介して接続され、カラー画像の読み取りが可能なスキャナ機能と白黒印刷機能とを備えるネットワーク複合装置において、前記スキャナ機能によって得られたカラー画像データを前記画像データ記憶手段に書き込むと共に、前記情報処理装置から送信される前記カラー印刷装置の動作状態を受信して所定の表示部に表示する印刷管理手段を備える。
【００１３】
また、請求項８の発明では、請求項７の発明に係るネットワーク複合装置において、カラー画像の印刷を指示したユーザに割り当てられたユーザ端末装置がネットワークを介して接続され、前記印刷管理手段は、動作状態として印刷結果を前記ユーザ端末装置に送信する。
【００１４】
また、請求項９の発明では、カラー画像の読み取りが可能なスキャナ機能と白黒印刷機能とを備えるネットワーク複合装置と、カラー印刷装置が接続される情報処理装置とが、ネットワークを介して接続された情報処理システムにおいて、前記情報処理装置は、前記ネットワーク複合装置によってカラー画像データが書き込まれる画像データ記憶手段と、前記カラー印刷装置を制御して前記画像データ記憶手段に書き込まれたカラー画像データを印刷させる印刷制御手段と、前記画像データ記憶手段を監視し、カラー画像データが書き込まれると前記印刷制御手段を動作させると共に、前記カラー印刷装置の動作状態を監視し、取得した動作状態を前記ネットワーク装置に送信する印刷監視手段とを備え、前記ネットワーク複合装置は、前記スキャナ機能によって得られたカラー画像データを前記画像データ記憶手段に書き込むと共に、前記情報処理装置から送信される動作状態を受信して所定の表示部に表示する印刷管理手段とを備える。
【発明の効果】
【００１５】
請求項１、請求項７及び請求項９に記載の発明によれば、ネットワーク複合装置がカラー画像データを情報処理装置の画像データ記憶手段に書き込んでカラー印刷装置による印刷を行う場合に、カラー印刷装置の動作状態が監視され、取得した動作状態がネットワーク複合装置に送信される。これによって、ネットワーク複合装置を操作したユーザは、カラー印刷装置による印刷結果、例えば印刷が完了したことや印刷途中でエラーが発生したことなどを認識することができる。
【００１６】
請求項２に記載の発明によれば、ネットワーク複合装置からのカラー画像データに基づく印刷処理が終了すると、その印刷処理に関する印刷ログが作成されて記憶される。したがって、印刷ログを参照すれば、カラー印刷装置を用いた印刷結果や印刷履歴を容易に把握することができる。
【００１７】
請求項３に記載の発明によれば、ユーザごとに印刷ログが管理されるので、各ユーザが指示した印刷処理の印刷結果や印刷履歴を容易に把握することができる。
【００１８】
請求項４に記載の発明によれば、印刷ログにはカラー画像データから画像認識処理により抽出されたテキスト情報が付加されているので、印刷ログを見れば印刷内容の概要を容易に知ることができる。
【００１９】
請求項５及び請求項８に記載の発明によれば、カラー印刷装置による印刷処理の印刷結果がユーザ端末装置に送信されるので、ユーザは自分が使用しているユーザ端末装置でも印刷結果を確認することができるようになるので、利便性が向上する。
【００２０】
請求項６に記載の発明によれば、コンピュータを上述した請求項１〜５のいずれかの情報処理装置として動作させることができるようになる。
【発明を実施するための最良の形態】
【００２１】
図１は、本発明の一実施形態に係る情報処理装置１の構成を示すブロック図である。情報処理装置１は、パーソナルコンピュータなどで構成されており、ネットワーク（例えばＬＡＮ）２２を介してネットワーク複合装置としてのファクシミリ複合装置１０と接続されて情報処理システムを構成している。また、ネットワーク２２には、カラー印刷装置３１が接続されており、情報処理装置１はカラー印刷装置３１を制御してカラー印刷を行わせる。
【００２２】
情報処理装置１は、図１に示すように、制御部２と、該制御部２にバス３を介して接続された表示部４、操作部５、記憶部６及び外部インターフェース７を備えている。
【００２３】
制御部２は、この情報処理装置１の制御を統括するものであり、ＣＰＵ等を備えて構成される。この制御部２には、機能要素として、印刷制御部２ａ及び印刷監視部２ｂが備えられている。印刷制御部２ａ及び印刷監視部２ｂの役割等は、後述する。
【００２４】
表示部４は、液晶表示装置等によって構成され、この情報処理装置１の操作情報等の表示に用いられる。操作部５は、複数の操作キー等によって構成され、この情報処理装置１の操作に用いられる。
【００２５】
記憶部６は、ＲＯＭ、ＲＡＭ等に記憶装置を備えて構成される。ＲＯＭには、制御部２が実行する制御プログラム等が記憶されている。ＲＡＭには、ファクシミリ複合装置１０から送信された画像データ、及び情報処理装置１の設定や保守管理等に関するデータ等が含まれている。また、記憶部６には、外部装置からのアクセスが可能な画像データ記憶領域（共有フォルダ）が設定されており、本実施形態ではファクシミリ複合装置１０によってカラー画像データが書き込まれる。記憶部６が画像データ記憶手段に相当する。
【００２６】
外部インターフェース７は、この情報処理装置１をネットワーク（ＬＡＮ及びインターネット等の外部ネットワーク）２２に接続するためのものインターフェースである。制御部２には、この外部インターフェース７と協働して、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。
【００２７】
また、ネットワーク２２には、ユーザ端末装置４１が接続されている。ユーザ端末装置４１の構成は、情報処理装置１と同様である。但し、カラー印刷装置３１を制御する機能は省略されていてもよい。
【００２８】
ファクシミリ複合装置１０の機能には、プリンタ機能、ファクシミリ機能、インターネットファクシミリ機能、コピー機能、及びスキャナ機能等が含まれている。このファクシミリ複合装置１０は、情報処理装置１やユーザ端末装置４１からの指示によっても、上記の各機能を実行することが可能である。
【００２９】
ファクシミリ複合装置１０は、図１に示すように、制御部１１と、該制御部１１にバス１２を介して接続されたプリンタ１３、スキャナ１４、表示部１５、操作部１６、記憶部１７、モデム１８、ＮＣＵ（Network Control Unit）１９、及びネットワーク通信部２０を備えている。
【００３０】
制御部１１は、このファクシミリ複合装置１０の制御を統括するものであり、ＣＰＵ等を備えて構成されている。この制御部１１には、機能要素として、印刷管理部１１ａが備えられている。印刷管理部１１ａの役割等は、後述する。
【００３１】
プリンタ１３は、例えば電子写真方式の白黒プリンタ装置であり、情報処理装置１から与えられた印刷データ、スキャナ１４によって読み取られた画像データ、ファクシミリ受信した画像データ等を記録紙等に印刷する。スキャナ１４は、カラー画像の読み取りが可能なカラースキャナであり、ファクシミリ送信時の原稿の読み取りや、コピー機能及びスキャナ機能使用時の原稿の読み取り等に用いられる。
【００３２】
表示部１５は、液晶表示装置等によって構成され、このファクシミリ複合装置１０の操作情報等の表示に用いられる。操作部１６は、複数の操作ボタンやタッチパネル等によって構成され、このファクシミリ複合装置１０の操作に用いられる。
【００３３】
記憶部１７は、ＲＯＭ、ＲＡＭ等の記憶装置を備えて構成されている。ＲＯＭには、制御部１１が実行する制御プログラム等が記憶されている。ＲＡＭには、情報処理装置１やユーザ端末装置４１から送信された印刷データ、ファクシミリ機能使用時にＮＣＵ１９を介して送受信されたファクシミリの送受信画像データ、コピー機能やスキャナ機能使用時に読み取られた画像データ、及びファクシミリ複合装置１０の設定や保守管理等に関するデータ等が含まれている。
【００３４】
モデム１８は、ファクシミリ通信が可能なファクシミリモデムから構成されている。また、モデム１８は、ＮＣＵ１９と直接接続されている。ＮＣＵ１９は、アナログの公衆電話回線網（ＰＳＴＮ）２３との回線の閉結及び開放の動作を行うハードウェアであり、必要に応じてモデム１８を公衆電話回線網２３と接続する。なお、ＩＳＤＮ用インターフェースを備えることによって、デジタル回線網（ＩＳＤＮ）に接続するようにしてもよい。
【００３５】
ネットワーク通信部２０は、ネットワーク２２を介したデータ通信を担っており、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。このネットワーク通信部２０の具体的な機能としては、電子メールの送受、電子メールに画像データを添付して送受するインターネットファクシミリの送受、及び、ＬＡＮ又はインターネットを介したデータの送受等が含まれている。
【００３６】
本実施形態は、ファクシミリ複合装置１０でスキャンしたカラー画像データを情報処理装置１を経由してカラー印刷装置３１で印刷する際に、印刷結果をファクシミリ複合装置１０で認識できるようにすることを主眼とするものである。
【００３７】
図２は、ファクシミリ複合装置１０で読み取ったカラー画像データをカラー印刷装置３１でカラー印刷するときの処理動作を説明するためのフローチャートであり、（ａ）はファクシミリ複合装置１０側の処理動作を示し、（ｂ）は情報処理装置１側の処理動作を示す。
【００３８】
まず、ユーザは、ファクシミリ複合装置１０の操作部１６を操作してＳＴＰ機能を選択し、さらに印刷態様を指定した後、スキャナ１４による原稿のカラースキャンを実行する（図２（ａ）のステップＳ１参照）。スキャンによって得られたカラー画像データは、記憶部１７に記憶される。印刷態様とは、コピー機能を実行するときに指定する情報と同じであり、例えば記録紙のサイズ、画像の拡大率・縮小率等の情報である。尚、複数のカラー印刷装置が接続されているときは、ユーザは出力させるカラー印刷装置を選択する。
【００３９】
続いて、ファクシミリ複合装置１０の印刷管理部１１ａは、情報処理装置１にカラー画像データの印刷指示を送信する（図２（ａ）のステップＳ２参照）。このとき、ステップＳ１においてファクシミリ複合装置１０に対するユーザログインによるユーザ情報が入力されていた場合は、そのユーザ情報も情報処理装置１に送信する。
【００４０】
印刷指示を受信した情報処理装置１の印刷監視部２ｂは、カラー印刷装置３１の動作状態に関する情報を取得する（図２（ｂ）のステップＳ３参照）。例えば、ＳＮＭＰ（Simple Network Management Protocol）を用いてカラー印刷装置３１のＭＩＢ情報を取得する。ここでは、カラー印刷装置３１が使用できるか否か、使用できる場合であっても指定されたサイズの記録紙があるか否かがに関する情報が取得される。
【００４１】
ＳＮＭＰとは、ＳＮＭＰマネージャ（管理する側）とＳＮＭＰエージェント（管理される側）とで構成され、両者間で管理情報を交換し、ネットワークに接続されている各種機器を管理するための通信手順である。ＳＮＭＰマネージャ及びＳＮＭＰエージェントにおいて管理される管理情報は、管理オブジェクト（管理対象）と称され、これらの集合が、ＭＩＢ（Management Information Base：管理情報ベース）情報である。
【００４２】
続いて、情報処理装置１の印刷監視部２ｂは、動作状態に関する情報をファクシミリ複合装置１０に送信する（図２（ｂ）のステップＳ４参照）。
【００４３】
ファクシミリ複合装置１０の印刷管理部１１ａは、情報処理装置１から送信された動作状態に関する情報を受信する。印刷管理部１１ａは、カラー印刷装置３１による印刷が可能であることを示す情報を受信したとき、記憶部１７に記憶しているカラー画像データを情報処理装置１に送信する（図２（ａ）のステップＳ５参照）。具体的には、ファクシミリ複合装置１０は、情報処理装置１の記憶部６に設定された画像データ記憶領域に、カラー画像データを書き込む。この画像データ記憶領域は、ネットワーク２２に接続された端末装置からのアクセスが可能ないわゆる共有フォルダであり、ファクシミリ複合装置１０からのアクセスが可能であると共に、印刷監視部２ｂが画像データの書き込みの有無を監視している。
【００４４】
情報処理装置１の印刷監視部２ｂは、監視している画像データ記憶領域（共有フォルダ）に画像データが書き込まれたことを検知すると、印刷制御部２ａの処理を開始させる。印刷制御部２ａは、カラー印刷装置３１を制御して、書き込まれたカラー画像データを指定された印刷態様で記録紙に印刷させる（図２（ｂ）のステップＳ６参照）。
【００４５】
また、情報処理装置１の印刷監視部２ｂは、印刷制御部２ａの処理を開始させた後、カラー印刷装置３１の動作状態に関する情報を取得する（図２（ｂ）のステップＳ７参照）。例えば、ＳＮＭＰを用いてカラー印刷装置３１のＭＩＢ情報を取得する。ここでは、印刷中か、エラーが発生して印刷が停止したか、印刷が完了してアイドル状態になったかに関する情報が取得される。
【００４６】
その後、情報処理装置１の印刷監視部２ｂは、印刷結果に関する情報として、エラーが発生した場合はエラー情報を、印刷が終了した場合は印刷完了情報を、ファクシミリ複合装置１０に送信する（図２（ｂ）のステップＳ８参照）。ファクシミリ複合装置１０の印刷管理部１１ａは、その受信した印刷結果に関する表示部１５に表示する（図２（ａ）のステップＳ９参照）。
【００４７】
印刷結果を送信した情報処理装置１の印刷監視部２ｂは、印刷ログを作成して記憶する（図２（ｂ）のステップＳ１０参照）。印刷ログには、ＳＴＰ機能を実行した日時、記録紙のサイズ、印刷部数、ユーザ情報が含まれる。さらに、ＯＣＲ機能が選択されている場合は、印刷したカラー画像データに対して、その画像データに含まれる文字データを画像認識（文字認識）によりテキスト情報として抽出する画像認識処理を施し、これによって印刷した画像データに含まれる文字データをテキスト情報として抽出し、そのテキスト情報を印刷ログに含めて記憶させる。
【００４８】
また、ファクシミリ複合装置１０の印刷管理部１１ａは、ステップＳ１においてユーザログインしてＳＴＰ機能を選択していた場合は、受信した印刷結果を、そのユーザに割り当てられているユーザ端末装置４１に通知する（図２（ａ）のステップＳ１１参照）。この場合の通知手段としては、電子メールや、ユーザ端末装置４１の表示部へのいわゆるポップアップ表示や、ユーザ端末装置４１に常駐しているファクシミリ複合装置１０の監視ソフトウェアに通知する方法等が考えられる。また、このユーザ端末装置４１への印刷結果の通知は、情報処理装置１の印刷監視部２ｂが行うようにしてもよい。
【００４９】
以上のように本実施形態によれば、ファクシミリ複合装置１０がカラー画像データを情報処理装置１の画像データ記憶領域（共有フォルダ）に書き込んでカラー印刷装置３１による印刷を行う場合に、カラー印刷装置３１の動作状態が監視され、取得した動作状態がファクシミリ複合装置１０に送信され、印刷結果がファクシミリ複合装置１０の表示部１５に表示される。これによって、ファクシミリ複合装置１０を操作したユーザは、カラー印刷装置３１による印刷結果、例えば印刷が完了したことや印刷途中でエラーが発生したことなどを認識することができる。
【００５０】
また、ファクシミリ複合装置１０からのカラー画像データに基づく印刷処理が終了すると、その印刷処理に関する印刷ログが作成されて記憶される。したがって、この印刷ログを参照すれば、カラー印刷装置３１による印刷結果や印刷履歴を容易に把握することができる。
【００５１】
さらに、ユーザごとに印刷ログが管理されるので、各ユーザが指示した印刷処理の印刷結果や印刷履歴を容易に把握することができる。
【００５２】
また、印刷ログにはカラー画像データから画像認識処理により抽出されたテキスト情報が付加されているので、印刷ログを見れば印刷内容の概要を容易に知ることができる。
【００５３】
また、カラー印刷装置３１による印刷処理の印刷結果がユーザ端末装置４１に送信されるので、ユーザは自分が使用しているユーザ端末装置４１でも印刷結果を確認することができるようになるので、利便性が向上する。
【００５４】
なお、上記実施形態では、情報処理装置１とカラー印刷装置３１とをネットワーク２２を介して接続したけれども、情報処理装置１に設けられるプリンタ接続インターフェース、又はＵＳＢ接続インターフェース等を用いて情報処理装置１にカラー印刷装置３１を接続するようにしてもよい。
【図面の簡単な説明】
【００５５】
【図１】本発明の一実施形態に係る情報処理装置の構成を示すブロック図である。
【図２】ファクシミリ複合装置で読み取ったカラー画像データをカラー印刷装置でカラー印刷するときの処理動作を説明するためのフローチャートであり、（ａ）はファクシミリ複合装置側の処理動作を示し、（ｂ）は情報処理装置側の処理動作を示す。
【符号の説明】
【００５６】
１  情報処理装置
２  制御部
２ａ  印刷制御部
２ｂ  印刷監視部
６  記憶部
１０  ファクシミリ複合装置
１１  制御部
１１ａ  印刷管理部
１４  スキャナ
２２  ネットワーク
３１  カラー印刷装置
４１  ユーザ端末装置
【図１】
2008165357.tif 000003
【図２】
2008165357.tif 000004